(57)【要約】【課題】  グリーン上での位置確認及びどのプレーヤーのものかを判別し易いゴルフマーカー及びそのセットを提供することを目的とする。  また、装飾性に優れたお洒落なデザインで、女性プレーヤー等にも愛用されるゴルフマーカーを提供することを他の目的とする。【解決手段】  クリスタルから成る円盤状マーカー本体１を有する。マーカー本体１の周縁部10は宝石状のカット面２を有する。かつ、マーカー本体１の裏面中央部に凹窪部が形成されると共に、凹窪部の凹面に、文字・図形・模様の装飾９がメッキ又は蒸着にて付されている。また、凹窪部に磁力遮蔽部材とマグネットと、が順に装着される。さらに、表て側４ａに反射面５を有する反射ミラー形成層４が、マーカー本体１の裏面に形成されている。【選択図】  図１
0003122905.tif 000002
【実用新案登録請求の範囲】
【請求項１】
クリスタルから成る円盤状マーカー本体（１）を有し、該マーカー本体（１）の周縁部（10）は宝石状のカット面（２）を有し、かつ、表て側（４ａ）に反射面（５）を有する反射ミラー形成層（４）が、該マーカー本体（１）の裏面（11）に形成されていることを特徴とするゴルフマーカー。
【請求項２】
クリスタルから成る円盤状マーカー本体（１）を有し、該マーカー本体（１）の周縁部（10）は宝石状のカット面（２）を有し、かつ、表て側（４ａ）に反射面（５）を有する反射ミラー形成層（４）が、該マーカー本体（１）の裏面（11）に形成され、
さらに、該反射ミラー形成層（４）の損傷を防ぐ保護層（６）が裏面側に積層されていることを特徴とするゴルフマーカー。
【請求項３】
クリスタルから成る円盤状マーカー本体（１）を有し、該マーカー本体（１）の周縁部（10）は宝石状のカット面（２）を有し、かつ、該マーカー本体（１）の裏面（11）中央部に凹窪部（12）が形成されると共に、該凹窪部（12）に、磁力遮蔽部材（７）とマグネット（８）と、が順に装着され、
さらに、表て側（４ａ）に反射面（５）を有する反射ミラー形成層（４）が、該マーカー本体（１）の裏面（11）のうち上記凹窪部（12）の周囲面部（13）に形成されていることを特徴とするゴルフマーカー。
【請求項４】
上記マーカー本体（１）の上記周縁部（10）において、その表て面（10ａ）及び裏面（10ｂ）にわたって上記カット面（２）が形成され、上記反射ミラー形成層（４）が上記周縁部裏面（10ｂ）に配設されている請求項１，２又は３記載のゴルフマーカー。
【請求項５】
上記反射ミラー形成層（４）の損傷を防ぐと共に上記マグネット（８）が上記凹窪部（12）から離脱するのを防ぐ保護層（６）が、上記反射ミラー形成層（４）及び上記マグネット（８）に裏側から積層されている請求項３又は４記載のゴルフマーカー。
【請求項６】
上記凹窪部（12）の凹面（12ａ）に、文字・図形・模様の装飾（９）がメッキ又は蒸着にて付されている請求項３，４又は５記載のゴルフマーカー。
【請求項７】
上記マーカー本体（１）の内部（18）に、文字・図形・模様のレーザー加工装飾部（19）が、形成されている請求項１，２，３，４，５又は６記載のゴルフマーカー。
【請求項８】
クリスタルから成る円盤状マーカー本体（１）を有し、該マーカー本体（１）の周縁部（10）は宝石状のカット面（２）を有し、かつ、表て側（４ａ）に反射面（５）を有する反射ミラー形成層（４）が、該マーカー本体（１）の裏面（11）に形成されたゴルフマーカーから成り、
上記マーカー本体（１）が色彩の相違する透明体から構成されていることを特徴とするゴルフマーカーセット。
【請求項９】
クリスタルから成る円盤状マーカー本体（１）を有し、該マーカー本体（１）の周縁部（10）は宝石状のカット面（２）を有し、かつ、表て側（４ａ）に反射面（５）を有する反射ミラー形成層（４）が、該マーカー本体（１）の裏面（11）に形成されたゴルフマーカーから成り、
上記マーカー本体（１）が無着色の透明体と色彩の相違する透明体とから構成されていることを特徴とするゴルフマーカーセット。
【考案の詳細な説明】
【技術分野】
【０００１】
本考案は、ゴルフマーカー及びそのセットに関するものである。
【背景技術】
【０００２】
従来のゴルフマーカーは、プラスチック製の薄い円板体の下面に、グリーン上に突き刺すための棒を一体に突設したものが知られている。
【考案の開示】
【考案が解決しようとする課題】
【０００３】
このゴルフマーカーをグリーン上にさしたときに、プラスチック製の円板体の部分は外観において目立ちにくい。よって、迅速な位置確認をしにくい。また、複数人でコースを回る場合に、グリーン上にさしたゴルフマーカーがどのプレーヤーのものなのかを一見してすぐ判別できるとは言えない。
しかも、このゴルフマーカーは審美性に乏しくお洒落なデザインとは言えないので、特に女性プレーヤー等に愛用品として用いられるものとして必ずしも適さない。
そこで、本考案は、グリーン上での位置確認及びどのプレーヤーのものかを判別し易いゴルフマーカー及びそのセットを提供することを目的とする。
また、装飾性に優れたお洒落なデザインで、女性プレーヤー等にも愛用されるゴルフマーカーを提供することを他の目的とする。
さらに、複数人のプレーヤーでコースを回る場合にプレーヤーの識別をし易いゴルフマーカーセットを提供することをさらに別の目的とする。
【課題を解決するための手段】
【０００４】
上記の目的を達成するために、本考案に係るゴルフマーカーは、クリスタルから成る円盤状マーカー本体を有し、該マーカー本体の周縁部は宝石状のカット面を有し、かつ、表て側に反射面を有する反射ミラー形成層が、該マーカー本体の裏面に形成されている。
【０００５】
また、本考案に係るゴルフマーカーは、クリスタルから成る円盤状マーカー本体を有し、該マーカー本体の周縁部は宝石状のカット面を有し、かつ、表て側に反射面を有する反射ミラー形成層が、該マーカー本体の裏面に形成され、さらに、該反射ミラー形成層の損傷を防ぐ保護層が裏面側に積層されている。
【０００６】
また、本考案に係るゴルフマーカーは、クリスタルから成る円盤状マーカー本体を有し、該マーカー本体の周縁部は宝石状のカット面を有し、かつ、該マーカー本体の裏面中央部に凹窪部が形成されると共に、該凹窪部に、磁力遮蔽部材とマグネットと、が順に装着され、さらに、表て側に反射面を有する反射ミラー形成層が、該マーカー本体の裏面のうち上記凹窪部の周囲面部に形成されている。
【０００７】
また、上記マーカー本体の上記周縁部において、その表て面及び裏面にわたって上記カット面が形成され、上記反射ミラー形成層が上記周縁部裏面に配設されている。
また、上記反射ミラー形成層の損傷を防ぐと共に上記マグネットが上記凹窪部から離脱するのを防ぐ保護層が、上記反射ミラー形成層及び上記マグネットに裏側から積層されている。
【０００８】
また、上記凹窪部の凹面に、文字・図形・模様の装飾がメッキ又は蒸着にて付されている。
また、上記マーカー本体の内部に、文字・図形・模様のレーザー加工装飾部が、形成されている。
【０００９】
また、本考案に係るゴルフマーカーセットは、クリスタルから成る円盤状マーカー本体を有し、該マーカー本体の周縁部は宝石状のカット面を有し、かつ、表て側に反射面を有する反射ミラー形成層が、該マーカー本体の裏面に形成されたゴルフマーカーから成り、上記マーカー本体が色彩の相違する透明体から構成されている。
【００１０】
また、本考案に係るゴルフマーカーセットは、クリスタルから成る円盤状マーカー本体を有し、該マーカー本体の周縁部は宝石状のカット面を有し、かつ、表て側に反射面を有する反射ミラー形成層が、該マーカー本体の裏面に形成されたゴルフマーカーから成り、上記マーカー本体が無着色の透明体と色彩の相違する透明体とから構成されている。
【考案の効果】
【００１１】
本考案は、次のような著大な効果を奏する。
また、本考案に係るゴルフマーカーは、クリスタルから成る円盤状マーカー本体を有し、反射ミラー形成層がマーカー本体の裏面に形成されているので、あらゆる角度からの入射光が弱まることなくマーカー本体を透過して反射ミラー形成層にあたって反射して放たれるので、ボールのマークをするためにグリーン上に置いた場合によく目立ち、位置確認をし易い。また、マーカー本体の周縁部に宝石状のカット面が形成されているので、反射光がカット面を透過して、非常にきらびやかになるので、一層よく目立つ。
また、プレーヤーの帽子に磁性体を取付けておくことで、ゴルフマーカーを、マグネットの磁力により帽子に着脱自在に着けておけるので、グリーン上にマークするとき以外には保管し易く、しかも、ゴルフマーカーを簡単かつ迅速に取り外せるので、ショット後にすぐにボールのマークをすることができる。そして、磁力の大きなマグネットを用いれば、ショット等の激しい動きをしてもゴルフマーカーが不意に脱落することもない。
また、多面のカット面により、お洒落なデザインとなって装飾性にも優れており、しかも、上述のように反射光がカット面によって様々な反射角度に反射して非常にきらびやかになるので、女性ゴルファーにも愛用されるアクセサリーにもなって至便である。
【００１２】
また、反射ミラー形成層の裏面に保護層を積層すれば、ゴルフマーカーを長く使用しても反射ミラー形成層が損傷しないので、反射光の強さが低下するのを防ぐことができる。また、保護層により、マグネットが離脱するのを確実に防ぐことができるので、長期使用においても耐久性を有する。そして、保護層の裏面に所望の文字・図形・模様等を描くことでデザイン性を向上させることができる。また、広告・宣伝等のデザインを描けば、使用者の知名度アップを図ることもできる。
【００１３】
また、マーカー本体の色彩の相違する透明体から成るゴルフマーカーにより一揃えのゴルフマーカーセットを構成すれば、複数人でコースを回る場合に、各プレーヤーが夫々相違する色彩のゴルフマーカーを使うことで、グリーン上に置いたゴルフマーカーが誰のものなのかを識別し易くなり、プレーをスムーズに進めることができる。
【考案を実施するための最良の形態】
【００１４】
以下、実施の形態を示す図面に基づき、本考案を詳説する。
図１〜図５に示したように、本考案に係るゴルフマーカーは、クリスタルから成る円盤状マーカー本体１を有する。クリスタルとして、石英ガラスの場合は光透過性の良いものであり、無着色の透明体や、薄い色彩（例えば薄ピンクや薄ブルー等）を有する透明体である。なお、本考案に於て、クリスタルとは、上記石英ガラスの他に、その他の一般ガラスを包含するものと定義する。
マーカー本体１は、その表て面14と裏面11が平坦面状かつ互いに平行面状に形成される。また、マーカー本体１の周縁部10は円環状であり、周縁部10に宝石状のカット面２を有する。具体的には、マーカー本体１の周縁部10において、その表て面10ａ及び裏面10ｂにわたって宝石状のカット面２が形成されている。宝石状のカット面２については、表て面10ａ側及び裏面10ｂ側のカット面は共に、例えば、ブリリアントカットや、ファンシーカットや、標準円形カットや、標準カット等が形成される。
また、マーカー本体１の内部18に、文字・図形・模様のレーザー加工装飾部19が、レーザー加工機で形成（内部彫刻）されている（図５参照）。内部18とはマーカー本体１の表て面と裏面との中間部位を指す。そして、例えば、個人名、社名、愛称等の装飾部19を内部彫刻すれば、マーカー本体１は透明度が高いため、この装飾部19は表て面側から目立ち、広告・宣伝等のデザインをして、使用者の知名度アップやアピールを行える。
【００１５】
また、マーカー本体１は、その裏面11中央部に凹窪部12が形成される。凹窪部12は、弯曲面状の凹面12ａと、凹面12ａの周端縁部から連続して裏面11に開口した環状内周面12ｂと、から成り、環状内周面12ｂは、（後述の）円板状マグネット８が略隙間無く嵌込まれる。そして、凹面12ａには装飾９がメッキ又は蒸着にて付されている。装飾９は文字・図形・模様等であり、マーカー本体１の透明肉厚部を通して表て面14側から見ることができる。装飾９を各プレーヤーの所望の文字・図形・模様等にすれば、複数人でコースを回る場合等にプレーヤーの識別をし易い。
また、表て側４ａに反射面５を有する反射ミラー形成層４が、マーカー本体１の裏面11のうち凹窪部12の周囲に配設される環状の周囲面部13、及び、周縁部10の裏面10ｂに形成されている。反射ミラー形成層４はマーカー本体１の裏面11に銀メッキを蒸着することにより形成されるものであり、蒸着前に、反射ミラー形成層４の（蒸着する面である）表て側４ａに、反射機能を大きくするための特殊表面処理をしておく。
また、反射ミラー形成層４は凹窪部12の凹面12ａにも形成し、凹面12ａに、反射ミラー形成層４と装飾９とが蒸着にて形成される（図５参照）。
【００１６】
そして、図４，図５に示したように、マーカー本体１の凹窪部12には、磁力遮蔽部材７とマグネット８と、が順に装着される。磁力遮蔽部材７は、鉛から成る薄型円形材を、中央が上方へ凸状となる緩やかな弯曲状に形成したものであり、凹窪部12の凹面12ａに沿って貼着される。また、マグネット８は薄い円板状に形成され、マグネット８の外径寸法は環状内周面12ｂに略隙間無く嵌まる大きさであり、環状内周面12ｂに嵌込まれた状態において、マグネット８の裏面とマーカー本体１の裏面11とが同一平坦面状となる（図５参照）。これにより、後述の保護層６を積層し易く、しかも、グリーン上に安定した状態で置くことができる。また、接着剤３が磁力遮蔽部材７とマグネット８の間の空間に充填されて、マグネット８が離脱しないように磁力遮蔽部材７に強固に固着される。
磁力遮断部材７がマグネット８の上方に覆い状に配設されることにより、マグネット８の磁力がマーカー本体１の上方へ及ぶのを防止でき、例えば、プレーヤーがゴルフマーカーをグリーン上に置いた後で磁性体のクラブのヘッドで上から押さえることがあっても、磁力でくっつくことがない。
【００１７】
そして、反射ミラー形成層４の損傷を防ぐと共にマグネット８が凹窪部12から離脱するのを防ぐ保護層６が、反射ミラー形成層４及びマグネット８に裏側から積層されている。銀メッキの反射ミラー形成層４は、使用するうちに接触や摩耗により摺動傷がついたり剥がれ易いため、保護層６を裏側から積層して、蒸着したときの状態を保つことで反射能力の低下が防がれる。
保護層６は、例えば、アルミ箔シール材があり、反射ミラー形成層４の裏面に貼着（接着）される（図５参照）。
あるいは、図示省略するが、反射ミラー形成層４の裏面に、硬質のメッキ・蒸着・塗装皮膜等のコーティング皮膜を積層することで保護層６を形成するもよい。あるいは、反射ミラー形成層４の裏面に、焼付け塗装等でコーティングして保護層６を形成するのもよい。
なお、この保護層６をアルミ箔シール材で形成する場合、その裏面に所望の文字・図形・模様等を描くことでデザイン性を向上させることができる。また、広告・宣伝等のデザインを描くことにより、知名度アップを図ることもできる。
【００１８】
なお、マーカー本体１の凹窪部12の形状は変更自在であり、凹窪部12を、環状内周面を有するように形成したり（図８参照）、あるいは、開口部側の大径の環状内周面と、段差部をもって奥側（上側）に形成された小径の環状内周面とから形成してもよい（図９参照）。
【００１９】
そして、図１，図５，図６に於て、マーカー本体１が光透過性のよいクリスタルから成りカット面２が形成されているので、あらゆる角度からの入射光が弱まることなくマーカー本体１を透過して反射ミラー形成層４にあたり、反射光が弱まることなくマーカー本体１から出ていく。また、マーカー本体１の周縁部が多面の宝石状のカット面２を有するので、反射光がカット面２を透過して、非常にきらびやかな光が放たれる。よって、ボールのマークをするためにグリーン上に置いた場合によく目立ち、位置確認をし易い。
なお、グリーン上に置かれたゴルフマーカーは、そのマーカー本体１の重みにより、不意に動いたり位置がずれることはない。
【００２０】
また、図６，図７に示したように、ゴルフマーカーは、マグネット８の磁力により、プレーヤーの帽子のつば部に取付けたマーカー保持用の磁性体17に着脱自在である。ゴルフマーカーは、磁性体17に着けてショット時等の激しい動きをしても、不意に脱落せず、また、移動時にも保管し易い。そして、このゴルフマーカーを簡単かつ迅速に取り外せるので、ショット後にすぐにボールのマークをすることもできる。また、上述のように、このゴルフマーカーは外部からの入射光により非常にきらびやかな光を反射し、しかも、多面カットのカット面２によりお洒落なデザインを有するので、帽子に着けることで周囲の者にアピールすることができ、女性プレーヤーにも愛用される装飾品になる。
【００２１】
また、マーカー本体１の色彩が相違するゴルフマーカーを複数揃えてセットを構成してもよく、複数人でコースを回る場合に、各プレーヤーが夫々相違する色彩のゴルフマーカーを使うことで、グリーン上に置いたゴルフマーカーが誰のものなのかを識別し易くなる。例えば、マーカー本体１のクリスタルをピンクに着色したゴルフマーカーやブルーに着色したゴルフマーカー等の様々な色に着色したマーカーをセットとする。あるいは、セットの中に、無着色の透明体のマーカー本体１のゴルフマーカーを加えてもよい。
また、装飾９をプレーヤーの所望の文字・図形・模様等にすれば、各ゴルフマーカーを一層識別し易い。
【００２２】
以上のように、本考案に係るゴルフマーカーは、クリスタルから成る円盤状マーカー本体１を有し、マーカー本体１の周縁部10は宝石状のカット面２を有し、かつ、表て側４ａに反射面５を有する反射ミラー形成層４が、マーカー本体１の裏面11に形成されているので、あらゆる角度からの入射光が弱まることなくマーカー本体１を透過して反射ミラー形成層４にあたって反射し、しかも、マーカー本体１の周縁部が多面の宝石状のカット面２を有するので、反射光がカット面２を透過して、非常にきらびやかな光が放たれる。よって、ボールのマークをするためにグリーン上に置いた場合によく目立ち、位置確認をし易い。また、多面のカット面２により、お洒落なデザインとなって装飾性にも優れており、しかも、反射光がカット面２によって様々な反射角度に反射して非常にきらびやかになるので、女性ゴルファーにも愛用されるアクセサリーにもなって至便である。
【００２３】
また、本考案に係るゴルフマーカーは、クリスタルから成る円盤状マーカー本体１を有し、マーカー本体１の周縁部10は宝石状のカット面２を有し、かつ、表て側４ａに反射面５を有する反射ミラー形成層４が、マーカー本体１の裏面11に形成され、さらに、反射ミラー形成層４の損傷を防ぐ保護層６が裏面側に積層されているので、あらゆる角度からの入射光が弱まることなくマーカー本体１を透過して反射ミラー形成層４にあたって反射し、しかも、マーカー本体１の周縁部が多面の宝石状のカット面２を有するので、反射光がカット面２を透過して、非常にきらびやかな光が放たれる。よって、ボールのマークをするためにグリーン上に置いた場合によく目立ち、位置確認をし易い。また、多面のカット面２により、お洒落なデザインとなって装飾性にも優れており、しかも、反射光がカット面２によって様々な反射角度に反射して非常にきらびやかになるので、女性ゴルファーにも愛用されるアクセサリーにもなって至便である。
また、ゴルフマーカーを長く使用しても、保護層６により反射ミラー形成層４が損傷することがないので、反射光の強さが低下するのを防ぐことができる。
また、保護層６の裏面に所望の文字・図形・模様等を描くことでデザイン性を向上させることができる。また、広告・宣伝等のデザインを描けば、使用者の知名度アップを図ることもできる。
【００２４】
また、本考案に係るゴルフマーカーは、クリスタルから成る円盤状マーカー本体１を有し、マーカー本体１の周縁部10は宝石状のカット面２を有し、かつ、マーカー本体１の裏面11中央部に凹窪部12が形成されると共に、凹窪部12に、磁力遮蔽部材７とマグネット８と、が順に装着され、さらに、表て側４ａに反射面５を有する反射ミラー形成層４が、マーカー本体１の裏面11のうち凹窪部12の周囲面部13に形成されているので、あらゆる角度からの入射光が弱まることなくマーカー本体１を透過して反射ミラー形成層４にあたって反射し、しかも、マーカー本体１の周縁部が多面の宝石状のカット面２を有するので、反射光がカット面２を透過して、非常にきらびやかな光が放たれる。よって、ボールのマークをするためにグリーン上に置いた場合によく目立ち、位置確認をし易い。また、多面のカット面２により、お洒落なデザインとなって装飾性にも優れており、しかも、反射光がカット面２によって様々な反射角度に反射して非常にきらびやかになるので、女性ゴルファーにも愛用されるアクセサリーにもなって至便である。
また、プレーヤーの帽子に磁性体17を取付けておくことで、ゴルフマーカーを、マグネット８の磁力により帽子に着脱自在に着けておけるので、グリーン上にマークするとき以外には保管し易く、しかも、ゴルフマーカーを簡単かつ迅速に取り外せるので、ショット後にすぐにボールのマークをすることができる。そして、磁力の大きなマグネット８を用いれば、ショット等の激しい動きをしてもゴルフマーカーが不意に脱落することもない。また、優れたデザインなので、帽子に着けることで装飾品として周囲の者にアピールすることができ、女性プレーヤーの愛用品としても優れている。
また、磁力遮断部材７がマグネット８の上方に覆い状に配設されるので、マグネット８の磁力がマーカー本体１の上方へ及ぶのを防止でき、例えば、プレーヤーがゴルフマーカーをグリーン上に置いた後で磁性体のクラブのヘッドで上から押さえることがあっても、磁力でくっつくことがない。
【００２５】
また、マーカー本体１の周縁部10において、その表て面10ａ及び裏面10ｂにわたってカット面２が形成され、反射ミラー形成層４が周縁部裏面10ｂに配設されているので、お洒落なデザインとなり、女性プレーヤーにも愛用され得る、一層優れた装飾品になる。
【００２６】
また、反射ミラー形成層４の損傷を防ぐと共にマグネット８が凹窪部12から離脱するのを防ぐ保護層６が、反射ミラー形成層４及びマグネット８に裏側から積層されているので、ゴルフマーカーを長く使用しても、保護層６により反射ミラー形成層４が損傷することがないので、反射光の強さが低下するのを防ぐことができる。
また、保護層６の裏面に所望の文字・図形・模様等を描くことでデザイン性を向上させることができる。また、広告・宣伝等のデザインを描けば、使用者の知名度アップを図ることもできる。
また、保護層６によって、マグネット８が凹窪部12から離脱するのを確実に防ぐことができるので、長期使用においても耐久性を有する。
【００２７】
また、凹窪部12の凹面12ａに、文字・図形・模様の装飾９がメッキ又は蒸着にて付されているので、好みの装飾９を施すことでデザイン性を高めることができる。また、複数のプレーヤーでコースを回る場合にも、各プレーヤー毎に異なる装飾９を用いることで、グリーン上に置いた場合に識別し易くなる。
【００２８】
また、マーカー本体１の内部18に、文字・図形・模様のレーザー加工装飾部19が、形成されているので、例えば、個人名、社名、愛称等の装飾部19を内部彫刻すれば、マーカー本体１は透明度が高いためこの装飾部19がマーカー本体１の表て面側から目立ち、広告・宣伝等として知名度アップ（アピール）することができる。
【００２９】
また、本考案に係るゴルフマーカーセットは、クリスタルから成る円盤状マーカー本体１を有し、マーカー本体１の周縁部10は宝石状のカット面２を有し、かつ、表て側４ａに反射面５を有する反射ミラー形成層４が、マーカー本体１の裏面11に形成されたゴルフマーカーから成り、マーカー本体１が色彩の相違する透明体から構成されているので、複数人でコースを回る場合に、各プレーヤーが夫々相違する色彩のゴルフマーカーを使うことで、グリーン上に置いたゴルフマーカーが誰のものなのかを識別し易くなり、プレーをスムーズに進めることができる。
【００３０】
また、クリスタルから成る円盤状マーカー本体１を有し、マーカー本体１の周縁部10は宝石状のカット面２を有し、かつ、表て側４ａに反射面５を有する反射ミラー形成層４が、マーカー本体１の裏面11に形成されたゴルフマーカーから成り、マーカー本体１が無着色の透明体と色彩の相違する透明体とから構成されているので、複数人でコースを回る場合に、各プレーヤーが夫々相違する色彩のゴルフマーカーを使うことで、グリーン上に置いたゴルフマーカーが誰のものなのかを識別し易くなり、プレーをスムーズに進めることができる。
【図面の簡単な説明】
【００３１】
【図１】本考案に係るゴルフマーカーの実施の一形態を示す斜視図である。
【図２】下方斜め方向から見た斜視図である。
【図３】マーカー本体を示す底面図である。
【図４】説明用側面断面図である。
【図５】側面断面図である。
【図６】使用状態を示す説明図である。
【図７】使用状態を示す拡大説明図である。
【図８】マーカー本体の他の実施の形態を示す側面断面図である。
【図９】マーカー本体の別の実施の形態を示す側面断面図である。
【符号の説明】
【００３２】
１  マーカー本体
２  カット面
４  反射ミラー形成層
４ａ  表て側
５  反射面
６  保護層
７  磁力遮蔽部材
８  マグネット
９  装飾
10  周縁部
10ａ  表て面
10ｂ  裏面
11  裏面
12  凹窪部
18  内部
19  装飾部
【図１】
0003122905.tif 000003
【図２】
0003122905.tif 000004
【図３】
0003122905.tif 000005
【図４】
0003122905.tif 000006
【図５】
0003122905.tif 000007
【図６】
0003122905.tif 000008
【図７】
0003122905.tif 000009
【図８】
0003122905.tif 000010
【図９】
0003122905.tif 000011